(57)【特許請求の範囲】
【請求項１】
センサネットワークが構造物モニタリングのセンサモニタリングに用いられるセンサネットワークのセンサ設置位置決定方法において、センサネットワークによりモニタリングの対象領域と、センサ設置候補箇所と、該センサ設置候補箇所毎のセンサ設置コストと、センサによるモニタリングを行いたい注意箇所と、該注意箇所の重要度と、該注意箇所の重要度毎に求められるカバー率を入力情報とし、注意箇所の重要度毎に求められるカバー率を満たし、かつセンサ設置にかかる総費用の低減を図るようにセンサ設置位置の決定を行うようにしたことを特徴とするセンサネットワークのセンサ設置位置決定方法。
【請求項２】
請求項１記載のセンサネットワークのセンサ設置位置決定方法において、前記構造物モニタリングが鉄道土木構造物モニタリングであることを特徴とするセンサネットワークのセンサ設置位置決定方法。
【請求項３】
請求項２記載のセンサネットワークのセンサ設置位置決定方法において、前記鉄道土木構造物モニタリングが地下鉄の鉄道土木構造物モニタリングであることを特徴とするセンサネットワークのセンサ設置位置決定方法。
【発明の詳細な説明】
【技術分野】
【０００１】
本発明は、センサネットワークのセンサ設置位置決定方法に係り、特に、鉄道土木構造物に配置されるセンサネットワークのセンサの設置位置に関する、注意箇所を考慮した効率的なセンサ設置位置決定方法に関するものである。
【背景技術】
【０００２】
センサネットワークにおけるセンサの効率的な設置位置決定方法に関しては、これまでにも種々研究が行われてきた。
【０００３】
しかし、それらは対象領域内に設置されるセンサのカバー率を考慮しながら、最小のセンサ数で対象領域のカバーを達成しようとするものがほとんどである。
【先行技術文献】
【非特許文献】
【０００４】
【非特許文献１】Ｐｅｔｅｒ  Ｊ．Ｂｅｎｎｅｔｔ，Ｋｅｎｉｃｈｉ  Ｓｏｇａ，Ｉａｎ  Ｗａｓｓｅｌｌ，Ｐａｕｌ  Ｆｉｄｌｅｒ，Ｋｅｉｔａ  Ａｂｅ，Ｙｕｓｕｋｅ  Ｋｏｂａｙａｓｈｉ，Ｍａｒｔｉｎ  Ｖａｎｉｃｅｋ，“Ｗｉｒｅｌｅｓｓ  Ｓｅｎｓｏｒ  Ｎｅｔｗｏｒｋｓ  ｆｏｒ  Ｕｎｄｅｒｇｒｏｕｎｄ  Ｒａｉｌｗａｙ  Ａｐｐｌｉｃａｔｉｏｎｓ：Ｃａｓｅ  Ｓｔｕｄｉｅｓ  ｉｎ  Ｐｒａｇｕｅ  ａｎｄ  Ｌｏｎｄｏｎ”，Ｓｍａｒｔ  Ｓｔｒｕｃｔｕｒｅｓ  ａｎｄ  Ｓｙｓｔｅｍｓ，Ｖｏｌ．６，Ｎｏ．５−６，ｐｐ．６１９−６３９，２０１０．
【非特許文献２】Ｆ．Ｓｔａｊａｎｏ，Ｎ．Ｈｏｕｌｔ，Ｉ．Ｊ．Ｗａｓｓｅｌ，Ｐ．Ｊ．Ｂｅｎｎｅｔｔ，Ｃ，Ｍｉｄｄｌｅｔｏｎ，Ｋ．Ｓｏｇａ，Ｓｍａｒｔ  ｂｒｉｄｇｅ，ｓｍａｒｔ  ｔｕｎｎｅｌｓ；ｔｒａｎｓｆｏｒｍｉｎｇ  ｗｉｒｅｌｅｓｓ  ｓｅｎｓｏｒ  ｎｅｔｗｏｒｋｓ  ｆｒｏｍ  ｒｅｓｅａｒｃｈ  ｐｒｏｔｏｔｙｐｅｓ  ｉｎｔｏ  ｒｏｂｕｓｔ  ｅｎｇｉｎｅｅｒｉｎｇ  ｉｎｆｒａｓｔｒｕｃｔｕｒｅ，Ａｄ  Ｈｏｃ  Ｎｅｔｗｏｒｋｓ  ８（８）（２０１０），ｐｐ．８７２−８８８
【非特許文献３】Ｅ．Ｗ．Ｄｉｊｋｓｔｒａ，Ａ  ｎｏｔｅ  ｏｎ  ｔｗｏ  ｐｒｏｂｌｅｍｓ  ｉｎ  ｃｏｎｎｅｘｉｏｎ  ｗｉｔｈ  ｇｒａｐｈｓ，  Ｎｕｍｅｒｉｓｃｈｅ  Ｍａｔｈｅｍａｔｉｋ  １（１）（１９５９）２６９−３０６．
【非特許文献４】Ｒ．Ｅ．Ｂｅｌｌｍａｎ，Ｏｎ  ａ  ｒｏｕｔｉｎｇ  ｐｒｏｂｌｅｍ，Ｑｕａｒｔｅｒｌｙ  ｏｆ  Ａｐｐｌｉｅｄ  ｍａｔｈｅｍａｔｉｃｓ  １６（１）（１９５８）８７−９０．
【非特許文献５】Ｓ．Ｍａｒｔｅｌｌｏ，Ｐ．Ｔｏｔｈ，Ｅｘａｃｔ  ａｎｄ  ａｐｐｒｏｘｉｍａｔｉｏｎ  ａｌｇｏｒｉｔｈｍｓ  ｆｏｒ  ｍａｋｅｓｐａｎ  ｍｉｎｉｍｉｚａｔｉｏｎ  ｏｎ  ｕｎｒｅｌａｔｅｄ  ｐａｒａｌｌｅｌ  ｍａｃｈｉｎｅｓ，Ｄｉｓｃｒｅｔｅ  Ａｐｐｌｉｅｄ  Ｍａｔｈｅｍａｔｉｃｓ  ７５（２）（１９９７）１６９−１８８．
【非特許文献６】Ｒ．Ｌｉｕ，Ｉ．Ｊ．Ｗａｓｅｌｌ，Ｋ．Ｓｏｇａ，Ｒｅｌａｙ  ｎｏｄｅ  ｐｌａｃｅｍｅｎｔ  ｆｏｒ  ｗｉｒｅｌｅｓｓ  ｓｅｎｓｏｒ  ｎｅｔｗｏｒｋｓ  ｄｅｐｌｏｙｅｄ  ｉｎ  ｔｕｎｎｅｌｓ，ｉｎ：Ｐｒｏｃｅｅｄｉｎｇｓ  ｏｆ  ｔｈｅ  ＩＥＥＥ  Ｉｎｔｅｒｎａｔｉｏｎａｌ  Ｃｏｎｆｅｒｅｎｃｅ  ｏｎ  Ｗｉｒｅｌｅｓｓ  ａｎｄ  Ｍｏｂｉｌｅ  Ｃｏｍｐｕｔｉｎｇ，Ｎｅｔｗｏｒｋｉｎｇ  ａｎｄ  Ｃｏｍｍｕｎｉｃａｔｉｏｎｓ，２０１０，ｐｐ．１４４−１５０.
【発明の概要】
【発明が解決しようとする課題】
【０００５】
特に、鉄道構造物などのモニタリングを行う場合、モニタリング目的に応じてより情報を収集したい箇所、つまり重点的に監視を行いたい注意箇所が存在し、その重要度も箇所によってばらつきある。
【０００６】
図８は、鉄道構造物における注意箇所とその重要度の関係を例示する模式図である。例えば、図８に示す鉄道のトンネルの場合、トンネル１０１内の実際に発生している異常箇所１０２は重点的に監視を行うべき注意箇所であり、ひび割れの広がり具合の監視などが必要であるため、重要度は高い。これに対して、今後異常発生が懸念される箇所１０３は、経過観察として監視などを行う箇所であり、緊急性は低いので重要性は低い。このように対象領域には各種の注意箇所が存在し、その重要度も箇所によって異なるがセンサのカバー率から最小センサ数で対象領域をカバーしようとする従来技術では、このような注意箇所と重要度に関する考慮がなされていないため、重要度の高い箇所について情報が少ないモニタリング効率の悪いセンサネットワークが構築されることがあった。
【０００７】
さらに、センサの設置費用は設置箇所によって異なる。
【０００８】
図９は、鉄道構造物におけるセンサ設置位置と、その設置費用との関係を例示する模式図である。例えば、図９に示す鉄道のトンネルの場合、トンネル１１１内の高い部分に設置するセンサ１１２は、トンネル１１１内の低い部分に設置するセンサ１１３に比べて、高所作業のための梯子の設置や作業人数の増加など、設置作業を行うための準備費用が発生するため設置費用は高くなる。
【０００９】
したがって、低コスト化のニーズを考えると、このような設置箇所毎の費用の違いをも考慮して、センサネットワークの設計を行うことが必要である。
【００１０】
しかしながら、注意箇所の重要度を考慮しつつ、設置箇所による費用の違いも考慮してセンサの設置費用を最小にするようにセンサの設置位置を決定する方法は現在まで確立されていない。
【００１１】
本発明は、上記状況に鑑みて、センサの設置位置に関する注意箇所の重要度毎に要求されるセンサのカバー率を満たしつつ、設置費用を最小にするようにセンサの設置位置を決定するセンサネットワークのセンサ設置位置決定方法を提供することを目的とする。
【課題を解決するための手段】
【００１２】
本発明は、上記目的を達成するために、
〔１〕センサネットワークが構造物モニタリングのセンサモニタリングに用いられるセンサネットワークのセンサ設置位置決定方法において、センサネットワークによりモニタリングの対象領域と、センサ設置候補箇所と、このセンサ設置候補箇所毎のセンサ設置コストと、センサによるモニタリングを行いたい注意箇所と、この注意箇所の重要度と、この注意箇所の重要度毎に求められるカバー率を入力情報とし、注意箇所の重要度毎に求められるカバー率を満たし、かつセンサ設置にかかる総費用の低減を図るようにセンサ設置位置の決定を行うようにしたことを特徴とする。
【００１３】
〔２〕上記〔１〕記載のセンサネットワークのセンサ設置位置決定方法において、前記構造物モニタリングが鉄道土木構造物モニタリングであることを特徴とする。
【００１４】
〔３〕上記〔２〕記載のセンサネットワークのセンサ設置位置決定方法において、前記鉄道土木構造物モニタリングが地下鉄の鉄道土木構造物モニタリングであることを特徴とする。
【発明の効果】
【００１５】
本発明によれば、次のような効果を奏することができる。
【００１６】
（１）構造物モニタリングの活用範囲の広いセンサネットワークの構築・運用において、対象領域内の注意箇所の重要度を考慮したセンサのカバー率を達成することで、より効率的な情報収集を行うセンサネットワークを設計でき、事業者にとっても経費削減を図ることができる。
【００１７】
（２）設置箇所毎の費用の違いを考慮してセンサネットワークの設計を行うので、事業者にとって実情に即したコストプランを得ることができる。
【図面の簡単な説明】
【００１８】
【図１】本発明のセンサネットワークのセンサ設置位置決定の概念図である。
【図２】比較例としての注意箇所の重要度を考慮しない場合のセンサ設置位置の例を示す模式図である。
【図３】本発明による対象領域内の注意箇所の重要度を考慮したセンサネットワークのセンサ設置位置決定例の模式図である。
【図４】本発明の実施例を示す軍事モニタリングのセンサネットワークとその注意箇所の重要度を考慮したセンサ配置例を示す概要図である。
【図５】本発明の実施例を示すフィールドモニタリングのセンサネットワークとその注意箇所の重要度を考慮したセンサ配置例を示す概要図である。
【図６】本発明の実施例を示す構造物モニタリングのセンサネットワークとその注意箇所の重要度を考慮したセンサ配置例を示す概要図である。
【図７】本発明のセンサネットワークのセンサ設置位置決定が適用可能な例としてのロンドン地下鉄のジュビリー線の現場写真である。
【図８】鉄道構造物における注意箇所とその重要度の関係を例示する模式図である。
【図９】鉄道構造物におけるセンサ設置位置と、その設置費用との関係を例示する模式図である。
【発明を実施するための形態】
【００１９】
本発明のセンサネットワークが構造物モニタリングのセンサモニタリングに用いられるセンサネットワークのセンサ設置位置決定方法は、センサネットワークによりモニタリングの対象領域と、センサ設置候補箇所と、このセンサ設置候補箇所毎のセンサ設置コストと、センサによるモニタリングを行いたい注意箇所と、この注意箇所の重要度と、この注意箇所の重要度毎に求められるカバー率を入力情報とし、注意箇所の重要度毎に求められるカバー率を満たし、かつセンサ設置にかかる総費用の低減を図るようにセンサ設置位置の決定を行うようにした。
【実施例】
【００２０】
以下、本発明の実施の形態について詳細に説明する。
【００２１】
図１は本発明のセンサネットワークのセンサ設置位置決定の概念図である。
【００２２】
上記したように、本発明は、対象領域の注意箇所の重要度を考慮しつつ、設置箇所による費用の違いも考慮して、センサの設置総費用を最小にするセンサ設置位置決定方法を提案するものである。
【００２３】
そこで、入力情報として、注意箇所とその箇所毎の重要度を予め入力情報として与えるようにする。また、効率のよいモニタリングを行うためには、重要度の高い注意箇所をより多くカバーするようなセンサネットワークが望ましい。そこで、重要度毎に求められるカバー率を設定し、この求められるカバー率を入力情報として与える。さらに、センサの設置候補箇所とその設置候補箇所毎の設置費用も入力情報として与えるものとする。
【００２４】
このような入力情報から、重要度毎に求められるカバー率を満たし、かつセンサの設置総費用が最小となるようなセンサネットワークのセンサ位置を探索する。具体的には、後述する数理計画問題として定式化し、センサ位置の決定を行い、センサの設置位置とセンサ設置にかかる総費用を出力する。すなわち、本発明では、入力情報として、（１）注意箇所とその重要度、（２）センサ設置候補箇所、（３）設置候補箇所毎のセンサ設置費用、（４）重要度毎に求められるカバー率を与えるものとする。
【００２５】
これらの入力情報を元に、センサネットワークのセンサ設置位置の決定を行い、出力情報として、（１）センサの設置場所、（２）センサ設置総費用を出力する。
【００２６】
図２は比較例としての注意箇所の重要度を考慮しない場合のセンサ設置位置の例を示す模式図、図３は本発明による対象領域内の注意箇所の重要度を考慮したセンサネットワークのセンサ設置位置決定例の模式図である。
【００２７】
これらの図において、△は監視を行いたい注意箇所（ここでは１３箇所）、○はセンサ設置候補箇所（ここでは、○1 〜○6 の６箇所）、点線で示された円はセンサのセンシング範囲Ｄを示している。また、注意箇所△の数字は、予防保全、経過観測など、モニタリング目的に合わせて各々の注意箇所に与えられる当該箇所の重要度であり、その重要度は段階的に異なっており、重要度の高さは△1 ＞△2 ＞△3 であるものとする。なお、ここでは説明のために少ないセンサ数・センサ設置候補箇所数・注意箇所数で簡略化して示している。
【００２８】
例えば、図２の例では、センサ設置候補箇所○2 と○5 にセンサが設置されている場合を示している。この場合、○2 のセンサのセンシング範囲Ｄにある、つまり○2 に設置されたセンサでカバーできる注意箇所は、重要度△2 の箇所が１つ、重要度△3 の箇所が１つの計２つ、同様に○5 のセンサでカバーできる注意箇所は、重要度△1 の箇所が１つ、重要度△2 の箇所が３つ、重要度△3 の箇所が１つの計５つである。なお、重要度△2 の注意箇所の１つが両センサで重複してカバーされている。
【００２９】
この時の注意箇所全体のカバー率を重要度別に見てみると、最も重要な注意箇所△1 は２つの内の１つしかカバーされておらず、カバー率は１／２＝５０％である。また、注意箇所△2 は６つの内の３つがカバーされており、３／６＝５０％、注意箇所△3 は５つの内の２つがカバーされており、２／５＝４０％となっている。このように、注意箇所の重要度を考慮せずにセンサ位置を決定すると、重要度が高い箇所も低い箇所も同程度のカバー率となってしまうことがある。
【００３０】
これに対して、本発明により注意箇所の重要度を考慮してセンサ位置を決定すると、例えば、図３に示すようになる。なお、ここでは、重要度△1 の求められるカバー率を８０％、重要度△2 の求められるカバー率を５０％、重要度△3 の求められるカバー率を２０％とした場合のセンサ配置の一例を示している。
【００３１】
この図では、センサ配置候補箇所○3 と○5 にセンサが設置されている場合を示している。この場合、○3 のセンサのセンシング範囲Ｄにある、つまり○3 に設置されたセンサでカバーできる注意箇所は、重要度△1 の箇所が１つ、重要度△2 の箇所が１つの計２つ、同様に○5 のセンサでカバーできる注意箇所は、重要度△1 の箇所が１つ、重要度△2 の箇所が３つ、重要度△3 の箇所が１つの計５つである。
【００３２】
このように、注意箇所の重要度を考慮したセンサ設置位置決定を行うと、最も重要度の高い注意箇所△1 は２つともカバーされ、カバー率は１００％となり、注意箇所△2 は６つのうちの４つがカバーされ、カバー率は約６６％であり、注意箇所△3 は５つのうちの１つがカバーされ、カバー率は２０％となる。これは重要度毎に求められるカバー率をいずれも満たすものであり、図２と比べ、重要度の高い注意箇所をより多くカバーした、効率のよいセンシングを行えるセンサ配置であると言える。なお、上記した求められるカバー率およびセンサ位置はいずれも説明を分かりやすくするための一例であり、後述する本願の数理モデルの具体的な計算結果を示すものではない。
【００３３】
本発明は、上記したように、重要度が高い箇所をなるべく多くカバーしつつ、設置にかかる総費用を低くするようなセンサ設置位置決定方法を提案するものである。
【００３４】
より、具体的には、以下のような条件が予め与えられているものとする。
（ａ）センサ設置候補箇所
（ｂ）センサ設置候補箇所毎の設置コスト
（ｃ）注意箇所
（ｄ）注意箇所毎の重要度
（ｅ）重要度毎に求められるカバー率
他にも、１つのセンサ設置候補箇所に設置できるセンサ台数を１台のみとし、注意箇所をカバーするセンサの台数（１台のセンサで監視するか、複数台で監視するか）も与えられるものとする。
【００３５】
また、重要度ごとに求められるカバー率は、重要度が高い程、高いカバー率を求めるように設定する。
【００３６】
このような条件の下、本発明では上記（ａ）〜（ｅ）と対象領域を入力とし、重要度毎に求められるカバー率を満たすセンサ設置位置をより少ないコストとなるように探索し、センサ設置箇所とセンサ設置総費用を出力するようにする。
【００３７】
これは、この重要度毎のカバー率を満たすセンサ設置位置の探索と総費用の最小化という問題として数理モデルに定式化でき、以下のように示すことができる。
【００３８】
以下、本発明の定式化について説明する。
（１）定義
（ｉ）集合としては、Ｎはセンサ設置候補箇所集合、Ｍは注意箇所集合、Ｒは重要度ランク集合、Ｍk （∀ｋ∈Ｒ）⊂Ｍは重要度ランク別注意箇所集合であり、Ｍ1 ∪Ｍ2 ∪…Ｍr ＝Ｍ、なお、Ｍk ∩Ｍl ＝０（∀ｋ，ｌ∈Ｒ，ｋ≠ｌ）、Ｒ+ は非負実数集合である。
【００３９】
（ｉｉ）決定変数としては、
イメージ＠１
（ｉｉｉ）パラメータとしては、
ａij∈｛０，１｝（∀i ∈Ｎ，∀j ∈Ｍ）  なお、センサ設置候補箇所ｉにあるセンサが注意箇所ｊをカバーできるならば１、その他は０
ｃi ∈Ｒ+ （∀i ∈Ｎ）  センサ設置候補箇所ｉにセンサを設置するコスト
ｄk ∈Ｒ+ （∀k ∈Ｒ）  重要度ランクｋの注意箇所の要求カバー率
このような定義の下と、上記した問題を数理モデルに定式化する。
（２）定式化
イメージ＠２
ｘi ＝｛０，１｝（∀i ∈Ｎ）                      …（５）
ｖj ＝｛０，１｝（∀j ∈Ｍ）                      …（６）
すなわち、目的関数（１）で、センサ設置コストの最小化問題として定式化している。
【００４０】
制約式（２），（３）によって、注意箇所ｊがセンサでカバーされているかどうかを表すｖj を決定することができる。重要度毎に要求されるカバー率が異なるため、制約式（４）は重要度ランクごとに定義を行う。これらの制約式を満たすように目的関数（１）を解くことで、重要度毎に求められるカバー率を満たしつつ、設置費用を最小にするようにセンサネットワークのセンサ設置位置を決定することができる。
【００４１】
このように、本発明によれば、センサネットワーク構築のためのセンサ設置の対象領域と、センサ設置候補箇所と、このセンサ設置候補箇所毎のセンサ設置コストと、注意箇所と、注意箇所の重要度と、注意箇所の重要度毎のカバー率を提示し、重要度の高いより注意箇所のカバー率を高めて、かつセンサ設置コストの低減を図るようにセンサ設置位置の設定を行うようにした。
【００４２】
図４は本発明の実施例を示す軍事モニタリングのセンサネットワークとその注意箇所の重要度を考慮したセンサ配置例を示す概要図である。
【００４３】
この図において、１は自軍の領域、２は対戦軍からの侵入の可能性のある大道、３は対戦軍からの侵入の可能性のある小道であり、○はセンサ設置候補場所、△は注意箇所（重要度大）、□は注意箇所（重要度小）である。なお、塗りつぶしのある部分がセンサ設置位置とカバーされる注意箇所を示している。
【００４４】
この図に示すように、例えば、自軍の領域１付近は監視の重要度は低いが、対戦軍から侵入される恐れのある場所付近は、監視の重要度が高い。したがって、本発明によれば、効率よく軍事領域をモニタリングできるよう、センサ設置位置を決定することができる。
【００４５】
図５は本発明の実施例を示すフィールドモニタリングのセンサネットワークとその注意箇所の重要度を考慮したセンサ配置例を示す概要図である。
【００４６】
この図において、１１は鉄道の軌道、１２はのり面、１３は鉄橋、１４は橋梁、１５は駅舎であり、○はセンサ設置候補場所、△は注意箇所（重要度大）、□は注意箇所（重要度小）である。なお、塗りつぶしのある部分がセンサ設置位置とカバーされる注意箇所を示している。
【００４７】
この図に示すように、例えば、自然災害の影響を受けやすい場所、例えば、のり面１２、鉄橋１３、橋梁１４には監視の重要度は高く設定される。したがって、本発明によれば、効率よく鉄道運行領域をモニタリングできるよう、センサ設置位置を決定することができる。
【００４８】
図６は本発明の実施例を示す構造物モニタリングのセンサネットワークとその注意箇所の重要度を考慮したセンサ配置例を示す概要図である。
【００４９】
この図において、２１は構造物としてのトンネル、２２はひび割れなど実際に発生している異常箇所であり、○はセンサ設置候補場所、△は注意箇所（重要度大）、□は注意箇所（重要度小）である。なお、塗りつぶしのある部分がセンサ設置位置とカバーされる注意箇所を示している。
【００５０】
この図に示すように、例えば、ひび割れ箇所などの異常が生じている箇所２２では、監視の重要度は高く設定される。また、重要度が低い注意箇所間では、設置コストの低いセンサ設置箇所の方にセンサを設置する。したがって、本発明によれば、効率よく低コストに構造物モニタリングを行えるよう、センサ設置位置を決定することができる。
【００５１】
図７は本発明のセンサネットワークのセンサ設置位置決定が適用可能な例としてのロンドン地下鉄のジュビリー線の現場写真である。
【００５２】
この図において、３１〜３４は傾角（伏角）センサ、３５は環境センサ、３６はクラックセンサである。ここで、傾斜センサとは、そのセンサが設置されているトンネル内壁の傾きを測定するセンサである。図７の例では、トンネル内の傾斜をまんべんなく測定する目的で均等に４箇所設置している。しかし、左側面の測定重要度が高まった場合には、その重要度に応じて例えば左３箇所、右１箇所などの設置を考える必要がある。しかし、設置には費用が発生するので、現場では測定目的を満たしつつ設置費用をできる限り少なくすることが求められる。
【００５３】
本発明によれば、このようなケースにおいて適切なセンサ設置箇所を定めることができるようになる。
【００５４】
図６に示したように、ひび割れなど実際に発生している異常箇所２２は重点的に監視を行うべき注意箇所であり、重要度が高く、一方今後異常発生が懸念される箇所は緊急度が低いため、重要度が低い。また、図９に示したように、トンネル内の高い部分にセンサを設置するための費用は、低い部分にセンサを設置するための費用よりも高くなる。
【００５５】
本発明によれば、このような注意箇所の重要度と設置箇所の費用を考慮してセンサネットワークのセンサ位置の決定を行うので、より効率的なセンシングを低コストで行えるセンサネットワークを構築できる可能性がある。具体的には、例えば、仮に図７で各センサが現状配置されている箇所の重要度が低いような場合には、トンネル天井部分に２つ設置されている傾斜センサ３３，３４をどちらか１つにしたり、各センサの設置位置をより重要度の高い位置へ変更することで、センサネットワークのセンサ設置総費用を下げつつ、効率的なモニタリングを行えるセンサの設置位置を決定することができる。
【００５６】
本発明によれば、このような、地下鉄のセンサネットワークのセンサ設置位置の決定に適用することができる。
【００５７】
なお、本発明は上記実施例に限定されるものではなく、本発明の趣旨に基づき種々の変形が可能であり、これらを本発明の範囲から排除するものではない。
【産業上の利用可能性】
【００５８】
本発明のセンサネットワークのセンサ設置位置決定方法は、構造物モニタリングのセンサモニタリングに利用することができる。特に、鉄道土木構造物に配置されるセンサの設置位置に関する注意箇所を考慮した効率的なセンサ設置位置決定方法に利用することができる。
【符号の説明】
【００５９】
１    自軍の領域
２    対戦軍からの侵入の可能性のある大道
３    対戦軍からの侵入の可能性のある小道
１１    鉄道の軌道
１２    のり面
１３    鉄橋
１４    橋梁
１５    駅舎
２１    トンネル
２２    ひび割れ箇所などの異常が生じている箇所
３１〜３４    傾角（伏角）センサ
３５    環境センサ
３６    クラックセンサ
【図１】
0005819163.tif 000002
【図２】
0005819163.tif 000003
【図３】
0005819163.tif 000004
【図４】
0005819163.tif 000005
【図５】
0005819163.tif 000006
【図６】
0005819163.tif 000007
【図７】
0005819163.tif 000008
【図８】
0005819163.tif 000009
【図９】
0005819163.tif 000010